(57)【要約】【課題】昇降路内を横断する梁部から垂下する一対の垂下部材によって巻上機が支持されていても該巻上機の揺れや傾きが生じ難いエレベータを提供することを課題とする。【解決手段】本発明は、昇降路内を昇降するカゴとカウンターウェイトとを連結するロープが巻き掛けられるシーブ、及び該シーブを回転駆動する本体が水平面に沿った第一方向に並ぶ巻上機と、昇降路の上部を第一方向と直交し且つ水平面に沿った第二方向に延びて横断する梁部と、梁部から下方に向けてそれぞれ延び且つ第二方向における巻上機の両側に配置される一対の垂下部材を有し、梁部の下方に配置された巻上機を支持する支持部と、支持部と昇降路を規定する壁又は昇降路内に配置される他の部材とを第一方向に接続する接続部と、を備えることを特徴とする。【選択図】図２
2019123579.tif 000002
【特許請求の範囲】
【請求項１】
昇降路内を昇降するカゴとカウンターウェイトとを連結するロープが巻き掛けられるシーブ、及び該シーブを回転駆動する本体が水平面に沿った第一方向に並ぶ巻上機と、
前記昇降路の上部を前記第一方向と直交し且つ前記水平面に沿った第二方向に延びて横断する梁部と、
前記梁部から下方に向けてそれぞれ延び且つ前記第二方向における前記巻上機の両側に配置される一対の垂下部材を有し、前記梁部の下方に配置された前記巻上機を支持する支持部と、
前記支持部と前記昇降路を規定する壁又は前記昇降路内に配置される他の部材とを前記第一方向に接続する接続部と、を備える、エレベータ。
【請求項２】
前記昇降路内において垂直方向に延び且つ前記カウンターウェイトを案内するカウンターウェイトレールを備え、
前記接続部は、前記カウンターウェイトレールに直接又は間接に接続される、請求項１に記載のエレベータ。
【請求項３】
前記巻上機は、底面が前記支持部に支持されていない状態で前記一対の垂下部材に固定され、
前記接続部は、前記垂下部材に直接又は間接に接続される、請求項１又は２に記載のエレベータ。
【発明の詳細な説明】
【技術分野】
【０００１】
本発明は、カゴとカウンターウェイトとを連結するロープが巻き掛けられる巻上機が昇降路の上部に配置されているエレベータに関する。
【背景技術】
【０００２】
従来から、カゴとカウンターウェイトとを連結するロープが巻き掛けられる巻上機が昇降路の上部に配置されるエレベータが知られている（特許文献１参照）。このエレベータは、図７及び図８に示すように、水平方向に間隔をあけた状態で昇降路の上部を横断する一対の梁部５１０と、梁部５１０に吊り下げられる巻上機設置枠５２０と、巻上機設置枠５２０に設置される巻上機５３０と、を備える。
【０００３】
巻上機設置枠５２０は、梁部５１０の長手方向に間隔をあけて配置され且つその長手方向の両端部がそれぞれ梁部５１０に支持される一対の上枠５２１と、各上枠５２１の長手方向の両端部にそれぞれ配置され且つ上端が上枠５２１に連結された状態で垂下する四本の垂下部材５２２と、垂下部材５２２の下端に配置され且つ両端が上枠５２１の長手方向に対向した垂下部材５２２に連結される一対の下枠５２３と、梁部５１０の長手方向に間隔をあけて配置された垂下部材５２２の下端同士を連結する一対の連結枠５２４と、を有する。
【０００４】
巻上機５３０は、以上のように構成される巻上機設置枠５２０の一対の下枠５２３及び一対の連結枠５２４のうちの少なくとも一方の部材に下部が締結されることで、巻上機設置枠５２０に固定されている。この巻上機５３０には、カゴとカウンターウェイトとを連結するロープｒが巻掛けられている。
【先行技術文献】
【特許文献】
【０００５】
【特許文献１】特開２００５−１７８９９０号公報
【発明の概要】
【発明が解決しようとする課題】
【０００６】
近年の昇降路内での設置機器等の配置スペースの省スペース化や構成の簡素化等の要請から、巻上機設置枠５２０の垂下部材５２２を一対にすることが考えられる。
【０００７】
しかし、この場合、四本の垂下部材５２２を有する巻上機設置枠５２０に比べ、巻上機設置枠５２０の下端部が一対の垂下部材の対向する方向と直交する方向（図９の矢印α参照）へ移動し易くなり、これにより、巻上機設置枠５２０の揺れや巻上機５３０の傾き（巻上機設置枠５２０の下端部の前記直交する方向への移動に起因する巻上機５３０の傾き。）等が生じ易くなる。
【０００８】
そこで、本発明は、昇降路内を横断する梁部から垂下する一対の垂下部材によって巻上機が支持されていても該巻上機の揺れや傾きが生じ難いエレベータを提供することを課題とする。
【課題を解決するための手段】
【０００９】
本発明のエレベータは、昇降路内を昇降するカゴとカウンターウェイトとを連結するロープが巻き掛けられるシーブ、及び該シーブを回転駆動する本体が水平面に沿った第一方向に並ぶ巻上機と、前記昇降路の上部を前記第一方向と直交し且つ前記水平面に沿った第二方向に延びて横断する梁部と、前記梁部から下方に向けてそれぞれ延び且つ前記第二方向における前記巻上機の両側に配置される一対の垂下部材を有し、前記梁部の下方に配置された前記巻上機を支持する支持部と、前記支持部と前記昇降路を規定する壁又は前記昇降路内に配置される他の部材とを前記第一方向に接続する接続部と、を備える。
【００１０】
かかる構成によれば、梁部に対して一対の垂下部材によってぶら下がった状態の支持部により巻上機が支持されているが、該支持部が接続部によって昇降路を規定する壁又は昇降路内に配置される他の部材と第一方向に接続されているため、支持部の下端部の第一方向（一対の垂下部材の対向する方向と直交する方向）への移動が抑えられ、これにより、巻上機（支持部）の揺れや傾き等が生じ難くなる。
【００１１】
また、前記エレベータは、前記昇降路内において垂直方向に延び且つ前記カウンターウェイトを案内するカウンターウェイトレールを備え、前記接続部は、前記カウンターウェイトレールに直接又は間接に接続されてもよい。
【００１２】
かかる構成によれば、支持部がカウンターウェイトレールと第一方向に接続されることで該カウンターウェイトレールには、支持部からの垂直方向への力が加わらない若しくは加わり難いため、座屈方向の強度を確保するためにカウンターウェイトレールを太くしなくてもよい、即ち、カウンターウェイトレールを太くすることによるカウンターウェイトレールの設置スペースの増大を防ぐことができる。
【００１３】
また、前記エレベータでは、前記巻上機は、底面が前記支持部に支持されていない状態で前記一対の垂下部材に固定され、前記接続部は、前記垂下部材に直接又は間接に接続されてもよい。
【００１４】
かかる構成によれば、支持部において巻上機を下方側から支持する部材（部位）がないため、前記下方側から支持する部材（部位）の寸法分、昇降路における所謂オーバーヘッド寸法（エレベータのカゴが着床する最上階の床から昇降路の頂部までの寸法）を抑えることができる。
【発明の効果】
【００１５】
以上より、本発明によれば、昇降路内を横断する梁部から垂下する一対の垂下部材によって巻上機が支持されていても該巻上機の揺れや傾きが生じ難いエレベータを提供することができる。
【図面の簡単な説明】
【００１６】
【図１】図１は、本実施形態に係るエレベータの構成を示す模式図である。
【図２】図２は、前記エレベータの昇降路上部を巻上機の正面側から見たときの構成を示す模式図である。
【図３】図３は、前記エレベータの昇降路上部を巻上機の側面側から見たときの構成を示す模式図である。
【図４】図４は、カゴ及びカウンターウェイトの荷重による巻上機の傾きを示す図である。
【図５】図５は、他実施形態に係るエレベータの昇降路上部を巻上機の正面側から見たときの構成を示す模式図である。
【図６】図６は、他実施形態に係るエレベータの昇降路上部を巻上機の側面側から見たときの構成を示す模式図である。
【図７】図７は、従来のエレベータの昇降路上部を巻上機の正面側から見たときの模式図である。
【図８】図８は、従来のエレベータの昇降路上部を巻上機の側面側から見たときの模式図である。
【図９】図９は、従来のエレベータにおいて巻上機設置枠の垂下部材が一対の場合に、巻上機が傾きやすい方向を説明するための図である。
【発明を実施するための形態】
【００１７】
以下、本発明の一実施形態について、図１〜図４を参照しつつ説明する。
【００１８】
本実施形態に係るエレベータは、図１に示すように、建物内において垂直方向に延びる昇降路２と、昇降路２内を昇降するカゴ３と、カゴ３と連動して昇降路２内を昇降するカウンターウェイトＷと、カゴ３とカウンターウェイトＷとを連結するロープＲと、ロープＲを駆動する巻上機４と、を備える。また、エレベータ１は、巻上機４の上方において昇降路２を横断（本実施形態の例では、昇降路２の上部を横断）する梁部５と、梁部５の下方に配置された巻上機４を支持する支持部６と、支持部６と昇降路２を規定する壁又は昇降路２内に配置される他の部材とを接続する接続部７と、を備える。さらに、エレベータ１は、カゴ３を昇降路２内で案内するカゴレールＲ１と、カウンターウェイトＷを昇降路２内で案内するウェイトガイド部８と、を備える。以下では、利用客がカゴ３に乗降する方向（図１における左右方向）を直交座標系におけるＸ軸方向（第二方向）とし、Ｘ軸方向と直交し且つ水平面に沿った方向（図１における紙面と垂直方向）を直交座標系におけるＹ軸方向（第一方向）とし、垂直方向（カゴ３の昇降方向）を直交座標系におけるＺ軸方向とする。
【００１９】
カゴレールＲ１は、Ｚ軸方向に延び、カゴ３のＹ軸方向の両側のそれぞれに配置される。これら一対のカゴレールＲ１は、Ｙ軸方向に間隔（カゴ３のＹ軸方向の寸法と対応する間隔）をあけて平行に配置され、昇降路２内においてカゴ３をＺ軸方向に案内（ガイド）する。
【００２０】
ウェイトガイド部８は、Ｚ軸方向に延び、カウンターウェイトＷのＸ軸方向の両側のそれぞれに配置されるカウンターウェイトレールＲ２を有する。これら一対のカウンターウェイトレールＲ２は、Ｘ軸方向に間隔（カウンターウェイトＷのＸ軸方向の寸法と対応する間隔）をあけて平行に配置され、昇降路２内においてカウンターウェイトＷをＺ軸方向に案内（ガイド）する。本実施形態のエレベータ１では、一対のカウンターウェイトレールＲ２は、昇降路２内におけるＹ軸方向の一方側の端部に配置される。
【００２１】
また、ウェイトガイド部８は、図２及び図３にも示されるように、Ｘ軸方向に延びてカウンターウェイトレールＲ２の上端同士を連結する水平部材８１と、水平部材８１の上端から上方に延びる第一延出部８２と、を有する。本実施形態のウェイトガイド部８は、二つの第一延出部８２を有する。これら二つの第一延出部８２は、Ｘ軸方向に間隔（後述する一対の垂下部材６２の間隔と対応する間隔）をあけて配置されている。
【００２２】
巻上機４は、ロープＲが巻き掛けられるシーブ４１と、該シーブ４１を回転駆動する巻上機本体（本体）４２と、を有する。シーブ４１は、Ｙ軸方向に延びる回転軸Ｃを回点中心にして回動（回転）する。これらシーブ４１と巻上機本体４２とは、Ｙ軸方向（シーブ４１の回転軸Ｃ方向）に並んでいる。本実施形態の巻上機４は、いわゆる薄型の巻上機であり、例えば、この巻上機４のＹ軸方向の寸法は、巻上機４のＸ軸方向の寸法より小さい。この巻上機４のシーブ４１が回動することによって、カゴ３が昇降路２を昇降する。
【００２３】
梁部５は、昇降路２の上部をＸ軸方向に延びて横断する。本実施形態の梁部５は、Ｙ軸方向に間隔をあけて一対配置される。この梁部５は、例えばＩ形鋼又はＨ形鋼である。これら一対の梁部５は、Ｚ軸方向から見て昇降路２におけるカゴ３と重ならない位置、具体的には、Ｚ軸方向から見てカゴ３とＹ軸方向に隣り合う位置に配置されている。本実施形態の一対の梁部５は、Ｚ軸方向から見て、昇降路２内におけるＹ軸方向の一方側（図３における左側）の端部、即ち、Ｚ軸方向から見て、カウンターウェイトＷやカウンターウェイトレールＲ２が配置されている領域と重なる位置に配置されている。
【００２４】
支持部６は、梁部５から下方に向けてそれぞれ延び且つＸ軸方向における巻上機４の両側に配置される一対の垂下部材６２を有する。具体的に、支持部６は、一対の梁部５間に架け渡される一対の架け渡し部材６１と、一対の架け渡し部材６１から垂下する一対の垂下部材６２と、を有する。本実施形態の支持部６は、巻上機４が水平部材８１の上方に位置するように該巻上機４を支持（保持）している。
【００２５】
一対の架け渡し部材６１のそれぞれは、Ｙ軸方向に延び、両端部が一対の梁部５に上側から接続されている。本実施形態の架け渡し部材６１は、防振部材６３を介して一対の梁部５に上側から接続されている。これら一対の架け渡し部材６１は、Ｘ軸方向に間隔をあけて配置されている。この間隔は、巻上機４のＸ軸方向の寸法に対応する。本実施形態の架け渡し部材６１は、例えば山形鋼（いわゆるアングル）である。
【００２６】
一対の垂下部材６２のそれぞれは、Ｚ軸方向に延び、上端が架け渡し部材６１に接続されている。これら一対の垂下部材６２は、巻上機４をＸ軸方向において挟み込むように配置され、各垂下部材６２は、巻上機４のＸ軸方向の端部に連結（接続）されている。即ち、一対の垂下部材６２に巻上機４が固定されている。各垂下部材６２は、架け渡し部材６１から巻上機４の下端位置までＺ軸方向に（下方に向けて）延びている。本実施形態の垂下部材６２は、例えば溝形鋼である。
【００２７】
また、支持部６は、垂下部材６２の下端から下方に延びる第二延出部６４も有する。具体的に、この第二延出部６４は、垂下部材６２の下端に固定されて該垂下部材６２から下方に延び且つＹ軸方向から見て第一延出部８２と重なる。本実施形態の第二延出部６４は、一対の垂下部材６２のそれぞれに取り付けられている。即ち、支持部６は、二つの第二延出部６４を有する。
【００２８】
接続部７は、支持部６と昇降路２内に配置される他の部材（本実施形態の例では、ウェイトガイド部８）とをＹ軸方向に接続する。この接続部７は、支持部６とウェイトガイド部８との間に配置される防振部材７１と、支持部６とウェイトガイド部８とを連結する連結部材７２と、を有する。本実施形態の接続部７では、防振部材７１が第一延出部８２と第二延出部６４との間に配置され、連結部材７２が各部材８２、７１、６４を貫通した状態で第一延出部８２と第二延出部６４とを連結している。例えば、連結部材７２は、長尺なボルトと、該ボルトと螺合するナットと、を有する。
【００２９】
以上のエレベータ１によれば、梁部５に対して一対の垂下部材６２によってぶら下がった状態の支持部６により巻上機４が支持されているが、該支持部６が接続部７によって昇降路２内に配置されている他の部材（ウェイトガイド部８）とＹ軸方向に接続されているため、支持部６の下端部のＹ軸方向（一対の垂下部材６２が互いに対向する方向と直交する方向）への移動が抑えられる。これにより、巻上機４（支持部６）のＹ軸方向に沿った揺れや、図４に示すような傾き（シーブ４１にカゴ３、カウンターウェイトＷ等の荷重が加わることによる巻上機４や支持部６の傾き）等が生じることを防ぐことができる。
【００３０】
また、本実施形態のエレベータ１では、接続部７が、ウェイトガイド部８に接続されている、即ち、接続部７は、第一延出部８２と水平部材８１とを介して支持部６とカウンターウェイトレールＲ２とを接続している。このように、本実施形態のエレベータ１では、支持部６がカウンターウェイトレールＲ２とＹ軸方向に接続されているため、該カウンターウェイトレールＲ２には、支持部６からの垂直方向への力が加わらない若しくは加わり難い。このため、座屈方向の強度を確保するためにカウンターウェイトレールＲ２を太くしなくてもよい。即ち、昇降路２内において、カウンターウェイトレールＲ２を太くすることによるカウンターウェイトレールＲ２の設置スペースの増大を防ぐことができる。
【００３１】
また、本実施形態のエレベータ１では、巻上機４が、底面を支持部６に支持されていない状態（即ち、下側から支持されていない状態）で一対の垂下部材６２に固定されている。このように、本実施形態の支持部６では、巻上機４を下方側から支持する部材（部位）がないため、前記下方側から支持する部材（部位）の寸法分、昇降路２におけるオーバーヘッド寸法（エレベータ１のカゴ３が着床する最上階の床から昇降路２の頂部までの寸法）を抑えることができる。
【００３２】
尚、本発明のエレベータは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００３３】
上記実施形態の支持部６は、下側から巻上機４を支持する部材を有していないが、この構成に限定されない。例えば、図５及び図６に示すように、支持部６は、下側から巻上機４を支持する下側支持部材６５を有してもよい。
【００３４】
このように、支持部６が下側支持部材６５を有している場合、第二延出部６４は、下側支持部材６５に取り付けられる（固定される）。また、巻上機４は、下側支持部材６５に連結（固定）されてもよい。
【００３５】
Ｙ軸方向の寸法の小さな薄型の巻上機４において、シーブ４１と巻上機本体４２とがＹ軸方向に並び、カゴ３とカウンターウェイトＷとの荷重がシーブ４１に加わることで、該巻上機４は、上端部側から倒れ込むように（お辞儀するように）傾こうとする（図４参照）。このため、エレベータ１において、巻上機４の上部と梁部５とをＹ軸方向に接続する倒れ抑制部９が設けられることで、前記倒れ込みが効果的に防がれる。図５及び図６に示す例では、倒れ抑制部９は、巻上機本体４２の上部から上方に延びる第三延出部４３と、梁部５と、を接続する。例えば具体的に、倒れ抑制部９は、巻上機４と梁部５との間に配置される防振部材９１と、巻上機４と梁部５とを連結する連結部材９２と、を有する。この倒れ抑制部９では、防振部材９１が第三延出部４３と梁部５との間に配置され、連結部材９２が各部材４３、９１、５を貫通した状態で第三延出部４３と梁部５とを連結している。例えば、連結部材９２は、長尺なボルトと、該ボルトと螺合するナットと、を有する。
【００３６】
また、かかる構成によれば、倒れ抑制部９が梁部５に直接接続されているため、倒れ抑制部９によって巻上機４の上部（図５及び図６に示す例では、第三延出部４３）とＹ軸方向に接続される部材（又は部位）を梁部５以外に別途設ける必要がなく、これにより、前記部材（又は前記部位）が設けられる場合に比べ、該部材（又は該部位）の配置スペース分のオーバーヘッド寸法を抑えることができる。
【００３７】
上記実施形態の接続部７は、第一延出部８２及び水平部材８１を介して（即ち、間接に）カウンターウェイトレールＲ２に接続されているが、この構成に限定されない。接続部７は、カウンターウェイトレールＲ２に直接接続されてもよい。このように、接続部７が支持部６とカウンターウェイトレールＲ２とをＹ軸方向に直接接続していても、カウンターウェイトレールＲ２には支持部６からのＺ軸方向（垂直方向）への力が加わらない若しくは加わり難い。このため、座屈方向の強度を確保するためにカウンターウェイトレールＲ２を太くしなくてもよい。
【００３８】
また、上記実施形態の接続部７は、支持部６とウェイトガイド部８とを接続しているが、この構成に限定されない。接続部７は、支持部６と昇降路２に配置される他の部材（例えば、カゴレールＲ１、制御盤等）とを直接または間接に接続してもよい。また、接続部７は、支持部６と、昇降路２を規定する壁面と、を接続してもよい。
【００３９】
上記実施形態の巻上機４は、Ｙ軸方向の寸法の小さな（いわゆる薄型の）巻上機であるが、この構成に限定されない。巻上機４のＹ軸方向の寸法がＸ軸方向の寸法より大きくてもよい。
【符号の説明】
【００４０】
１…エレベータ、２…昇降路、３…カゴ、４…巻上機、４１…シーブ、４２…巻上機本体（本体）、４３…第三延出部、５…梁部、６…支持部、６１…架け渡し部材、６２…垂下部材、６３…防振部材、６４…第二延出部、６５…下側支持部材、７…接続部、７１…防振部材、７２…連結部材、８…ウェイトガイド部、８１…水平部材、８２…第一延出部、９…抑制部、９１…防振部材、９２…連結部材、５１０…梁部、５２０…巻上機設置枠、５２１…上枠、５２２…垂下部材、５２３…下枠、５２４…連結枠、５３０…巻上機、Ｒ…ロープ、Ｒ１…カゴレール、Ｒ２…カウンターウェイトレール、Ｗ…カウンターウェイト
【図１】
2019123579.tif 000003
【図２】
2019123579.tif 000004
【図３】
2019123579.tif 000005
【図４】
2019123579.tif 000006
【図５】
2019123579.tif 000007
【図６】
2019123579.tif 000008
【図７】
2019123579.tif 000009
【図８】
2019123579.tif 000010
【図９】
2019123579.tif 000011